(57)【要約】【課題】マルチモダリティマンモグラフィ方法を用いた場合に、被検体の被曝量を低減させる。【解決手段】実施形態の乳房撮影装置は、Ｃ形アーム、Ｘ線管、撮影台、圧迫板、Ｘ線絞り機構、第１のガンマ線検出器、Ｘ線検出器、第２のガンマ線検出器及び退避構造を具備する。前記Ｘ線管は、前記Ｃ形アームの一方の端部に設けられる。前記撮影台は、前記Ｃ形アームの他方の端部に設けられる。前記圧迫板は、前記撮影台との間で被検体の乳房を圧迫する。前記Ｘ線絞り機構は、前記Ｘ線管と前記圧迫板との間に配置される。前記第１のガンマ線検出器は、前記圧迫板上に載置される。前記Ｘ線検出器は、前記撮影台に設けられる。前記第２のガンマ線検出器は、前記撮影台に設けられる。前記退避構造は、前記Ｘ線検出器を前記撮影台における撮影領域から退避させる。【選択図】図３
2013215523.tif 000002
【特許請求の範囲】
【請求項１】
Ｃ形アームと、
前記Ｃ形アームの一方の端部に設けられるＸ線管と、
前記Ｃ形アームの他方の端部に設けられる撮影台と、
前記撮影台との間で被検体の乳房を圧迫するための圧迫板と、
前記Ｘ線管と前記圧迫板との間に配置されるＸ線絞り機構と、
前記圧迫板上に載置される第１のガンマ線検出器と、
前記撮影台に設けられるＸ線検出器と、
前記撮影台に設けられる第２のガンマ線検出器と、
前記Ｘ線検出器を前記撮影台における撮影領域から退避させるための退避構造と
を具備することを特徴とする乳房撮影装置。
【請求項２】
請求項１に記載の乳房撮影装置において、
前記第１及び第２のガンマ線検出器の出力に基づいてガンマ線画像のデータを発生するガンマ線画像発生部と、
前記Ｘ線検出器の出力に基づいてＸ線画像のデータを発生するＸ線画像発生部と、
前記ガンマ線画像と前記Ｘ線画像を表示する表示部と、
前記表示されたガンマ線画像上に関心領域を操作者指示に従って設定する関心領域設定部と、
前記設定された関心領域に従って前記Ｘ線絞り機構を制御する制御部と
を具備することを特徴とする乳房撮影装置。
【請求項３】
被検体の乳房を圧迫するための圧迫板上に載置される第１のガンマ線検出器と、前記圧迫板に対向配置された撮影台に設けられるＸ線検出器及び第２のガンマ線検出器とを備えた乳房撮影装置が実行する乳房撮影方法であって、
前記Ｘ線検出器を前記撮影台における撮影領域から退避させる工程と、
前記退避の後、前記第１及び第２のガンマ線検出器により、放射性同位元素を投与された被検体の乳房から放出されるガンマ線を検出する工程と、
前記第１及び第２のガンマ線検出器の出力に基づいてＸ線の照射野を予め絞る工程と、
前記照射野を絞った後、前記Ｘ線を前記乳房に照射し、前記乳房を透過したＸ線を前記Ｘ線検出器により検出する工程と
を具備することを特徴とする乳房撮影方法。
【請求項４】
請求項３に記載の乳房撮影方法において、
前記照射野を予め絞る工程は、
前記第１及び第２のガンマ線検出器の出力に基づいてガンマ線画像のデータを発生する工程と、
前記ガンマ線画像を表示する工程と、
前記表示されたガンマ線画像上に関心領域を操作者指示に従って設定する工程と、
前記設定された関心領域に従って前記乳房撮影装置のＸ線絞り機構を制御する工程と
を具備し、
前記Ｘ線検出器の出力に基づいてＸ線画像のデータを発生する工程と、
前記Ｘ線画像を前記ガンマ線画像に並べて表示する工程と
を更に具備することを特徴とする乳房撮影方法。
【発明の詳細な説明】
【技術分野】
【０００１】
本発明の実施形態は、乳房撮影装置及び方法に関する。
【背景技術】
【０００２】
従来、視触診では発見できない、ごく早期の病変部を発見するための手法として、Ｘ線マンモグラフィ（ＭＭＧ）及び核医学マンモグラフィが知られている。
【０００３】
Ｘ線マンモグラフィは、Ｘ線を被検体の乳房に照射し、乳房を透過してきたＸ線を検出することで、乳房内におけるＸ線の減弱の性質を利用して乳房内の構造を画像化する手法である。
【０００４】
核医学マンモグラフィは、放射性同位体に、主に腫瘍に集積する標識化合物を結合させた放射性薬剤を被験者の体内に取り込ませることで、被験者の体内に存在する腫瘍に放射性薬剤が集積する性質を利用した手法である。詳しくは、核医学マンモグラフィは、腫瘍に集積した放射性薬剤の放射性同位体から放出されるガンマ線、もしくは放射性同位体から放出された陽電子と近傍に存在する陰電子の結合により放出される消滅ガンマ線を検出し、放射性同位体の分布を画像化する手法である。核医学マンモグラフィの一例としては、陽電子放出を用いたＰＥＭ（Positron Emission Mammography）が挙げられる。ＰＥＭは、陽電子を放出する核種が付加された放射性薬剤が特定の病変部に集積する性質を利用した手法である。詳しくはＰＥＭは、病変部に集積した核種から放出された陽電子が近傍の電子と結合して消滅するときに互いに正反対の方向に放出される２つのガンマ線を各検出器により体外から検出し、各検出器を結ぶ直線上に存在する放射性同位元素の分布を画像化する手法である。
【０００５】
近年、このようなＸ線マンモグラフィ及び核医学マンモグラフィを組み合わせたマルチモダリティマンモグラフィ方法を用いた乳房撮影装置が提案されている。この種の乳房撮影装置は、Ｘ線撮影を最初に行い、続いて、核医学マンモグラフィ撮影を行う。
【先行技術文献】
【特許文献】
【０００６】
【特許文献１】特開２００３−３２５４９９号公報
【発明の概要】
【発明が解決しようとする課題】
【０００７】
しかしながら、以上のような乳房撮影装置は、本発明者の検討によれば、以下のような点で改善の余地がある。
【０００８】
Ｘ線マンモグラフィは、高分解能で豊富な位置情報を有する利点があるものの、悪性的中率がＰＥＭ画像と比較して劣る欠点がある。ＰＥＭは、高い悪性的中率を誇る利点があるものの、空間分解能がＸ線画像よりも低く、位置情報に乏しい欠点がある。前述したマルチモダリティマンモグラフィ方法を用いた場合、このような両者の欠点を補うことが可能である。
【０００９】
しかしながら、マルチモダリティマンモグラフィ方法を用いた場合、通常のＸ線マンモグラフィによる被曝量と、通常のＰＥＭによる被曝量とを合わせた被曝量が被検体の被曝量となるので、被検体の被曝量が多くなる。
【００１０】
すなわち、従来の乳房撮影装置は、被検体の被曝量が多くなる点で改善の余地がある。
【００１１】
本発明が解決しようとする課題は、マルチモダリティマンモグラフィ方法を用いた場合に、被検体の被曝量を低減し得る乳房撮影装置及び方法を提供することである。
【課題を解決するための手段】
【００１２】
実施形態の乳房撮影装置は、Ｃ形アーム、Ｘ線管、撮影台、圧迫板、Ｘ線絞り機構、第１のガンマ線検出器、Ｘ線検出器、第２のガンマ線検出器及び退避構造を具備する。
【００１３】
前記Ｘ線管は、前記Ｃ形アームの一方の端部に設けられる。
【００１４】
前記撮影台は、前記Ｃ形アームの他方の端部に設けられる。
【００１５】
前記圧迫板は、前記撮影台との間で被検体の乳房を圧迫する。
【００１６】
前記Ｘ線絞り機構は、前記Ｘ線管と前記圧迫板との間に配置される。
【００１７】
前記第１のガンマ線検出器は、前記圧迫板上に載置される。
【００１８】
前記Ｘ線検出器は、前記撮影台に設けられる。
【００１９】
前記第２のガンマ線検出器は、前記撮影台に設けられる。
【００２０】
前記退避構造は、前記Ｘ線検出器を前記撮影台における撮影領域から退避させる。
【図面の簡単な説明】
【００２１】
【図１】一実施形態に係る乳房撮影装置の構成を示す模式図である。
【図２】撮影本体の外観図である。
【図３】ガンマ線検出時の各検出器の配置を模式的に示す側面図である。
【図４】Ｘ線検出時の各検出器の配置を模式的に示す側面図である。
【図５】Ｘ線検出器の退避構造を模式的に示す上面図である。
【図６】ＰＥＭ画像及びＸ線画像の一例を示す図である。
【図７】乳房撮影方法を説明するためのフローチャートである。
【図８】Ｘ線検出器の退避構造の変形例を模式的に示す上面図である。
【図９】Ｘ線検出器の退避構造の変形例を模式的に示す上面図である。
【図１０】共通の検出器を用いた変形例を模式的に示す側面図である。
【発明を実施するための形態】
【００２２】
以下、図面を参照して乳房撮影装置及び方法の一実施形態を説明する。
【００２３】
図１は一実施形態に係る乳房撮影装置の構成を示す模式図であり、図２は撮影本体の外観図である。図３及び図４は撮影本体におけるガンマ線検出時及びＸ線検出時の各検出器の配置を模式的に示す側面図である。図５は撮影台におけるＸ線検出器の退避構造を模式的に示す上面図である。乳房撮影装置は、撮影本体１を有している。撮影本体１は、支持機構２におけるＣ形アーム３の一方の端部にＸ線管４が設けられる。Ｃ形アーム３の他方の端部には、撮影台５が設けられる。Ｃ形アーム３の支柱部３ａには、撮影台５との間で被検体の乳房を圧迫するための圧迫板６ａが設けられる。圧迫板６ａは、その移動機構と移動駆動部からなる圧迫機構６の一部である。Ｘ線管４と圧迫板６ａとの間にはＸ線絞り機構７が配置される。圧迫板６ａ上には、第１のＰＥＭ用検出器（第１のガンマ線検出器）８が載置される。撮影台５には、Ｘ線検出器９及び第２のＰＥＭ用検出器（第２のガンマ線検出器）１０が設けられる。撮影台５は、Ｘ線検出器９を当該撮影台５における撮影領域から退避させるための退避構造１１を備えている。撮影台５における撮影領域とは、撮影台５におけるＸ線の最大の照射野を意味している。
【００２４】
ここで、Ｘ線管４は高電圧発生器１２から高電圧（管電圧）の印加を受け、フィラメント電流の供給を受けて、Ｘ線を発生する。Ｘ線管４の前面には照射野制限マスク及びその駆動機構からなるＸ線絞り機構７とともに、線質調整フィルタが着脱自在に設けられる。Ｘ線絞り機構７により、Ｘ線の照射野が決まる。線質調整フィルタと管電圧との組み合わせにより、Ｘ線の線質が決まる。フィラメント電流により管電流（ｍＡ）が制御され、その管電流の時間積（ｍＡｓ）により線量が決まる。
【００２５】
撮影台５は、圧迫板６ａに対向配置され、内部にグリッド５ａを有し、Ｘ線検出器９及び第２のＰＥＭ用検出器１０を収容している。グリッド５ａは、Ｘ線検出器９の前面に配置され、散乱線を除去し画像コントラストを改善するための器具である。
【００２６】
圧迫板６ａは、圧迫機構６により、撮影台５と平行状態を維持したままグリッド５ａに近接／離反する方向に移動する。圧迫板６ａの移動は典型的にはフットペダル１３の足操作により行われる。被検体の乳房は、グリッド５ａと圧迫板６ａとの間でスラブ状に圧迫される。
【００２７】
Ｘ線絞り機構７は、例えば、制御部２１により制御される電動Ｘ線可動絞りであり、四角形、多角形、又は円形といった様々な形状でＸ線の照射野を制限可能となっている。制御部２１による制御としては、例えば、関心領域設定部２０により設定された関心領域２０ａに従う制御と、操作部１６により入力された絞り調整指示に従う制御とが、適宜、使用される。
【００２８】
第１のＰＥＭ用検出器８は、乳房から放出されるガンマ線を検出し、当該検出した線量に応じた電圧信号をＰＥＭ用データ収集部１４に出力するガンマ線検出器であり、圧迫板６ａ上の図示しないガイドレールにより、図３及び図４に示すように、ガンマ線検出時には支柱部３ａに対して離反し、Ｘ線検出時には支柱部３ａに対して近接する。
【００２９】
Ｘ線検出器９は、Ｘ線管４に対向する向きで撮影台５に収容された平面検出器（フラット・パネル・デテクタ；ＦＰＤ）からなり、乳房を透過したＸ線を検出し、当該検出した線量に応じた電圧信号をＸ線データ収集部１５に出力する。Ｘ線検出器９は、図５（ａ）及び図５（ｂ）に示すように、撮影台５に収容されたガイドレール１１ａにより、ガンマ線検出時には撮影領域から退避済みとなるように支柱部３ａに対して近接し、Ｘ線検出時には撮影領域に入るように支柱部３ａに対して離反する。このガイドレール１１ａは、退避構造１１を構成している。なお、Ｘ線検出器９は、ガンマ線検出時に、撮影台５における撮影領域から退避していればよいので、例えば撮影台５から取り外してもよく、ガードレール１１ａ以外の退避構造１１を用いて退避させてもよい。また、ガイドレール１１ａを用いる場合であっても、例えば、被検体のみぞおちと支柱部３ａとを結ぶ直線に直交する方向に沿って、Ｘ線検出器９を水平に退避させてもよい。Ｘ線検出器９の後段には、第２のＰＥＭ用検出器１０が収容される。
【００３０】
第２のＰＥＭ用検出器１０は、乳房から放出されるガンマ線を検出し、当該検出した線量に応じた電圧信号をＰＥＭ用データ収集部１４に出力するガンマ線検出器であり、撮影台５の下部に収容される。なお、第２のＰＥＭ用検出器１０は、Ｘ線撮影時には、撮影台５の下部から取り外していてもよく、撮影台５の下部に固定していてもよい。
【００３１】
ＰＥＭ用データ収集部１４は、第１のＰＥＭ用検出器８及び第２のＰＥＭ用検出器１０からそれぞれ出力された電圧信号を増幅してディジタル信号に変換し、このディジタル信号をＰＥＭ画像発生部（ガンマ線画像発生部）１７に送出する。なお、ＰＥＭ用データ収集部１４は、各検出器８，１０の一部として設けてもよく、ＰＥＭ画像発生部１７の一部として設けてもよい。
【００３２】
Ｘ線データ収集部１５は、Ｘ線検出器９から出力された電圧信号を増幅してディジタル信号に変換し、このディジタル信号をＸ線画像発生部１８に送出する。なお、Ｘ線データ収集部１５は、Ｘ線検出器９の一部として設けてもよく、Ｘ線画像発生部１８の一部として設けてもよい。
【００３３】
乳房撮影装置は、支持機構４等の構造物と共に、操作部１６、ＰＥＭ画像発生部１７、Ｘ線画像発生部１８、表示部１９、関心領域設定部２０及び制御部２１を備えている。
【００３４】
操作部１６は、操作者の操作に応じて、各種のデータや指示などを制御部２１に入力するための入力デバイスであり、例えば、撮影条件や関心領域２０ａなどの設定、及び絞り調整指示や表示指示などの入力に用いられる。
【００３５】
ＰＥＭ画像発生部１７は、第１及び第２のＰＥＭ用検出器８，１０の出力に基づいてＰＥＭ画像（ガンマ線画像）のデータを発生する。
【００３６】
Ｘ線画像発生部１８は、Ｘ線検出器９の出力に基づいてＸ線画像のデータを発生する。
【００３７】
表示部１９は、各画像発生部１７，１８により発生したＰＥＭ画像とＸ線画像を表示する。ここで、表示部１９は、図６（ａ）又は図６（ｂ）に示すように、ＰＥＭ画像とＸ線画像を別々に表示してもよく、ＰＥＭ画像とＸ線画像を並べて表示してもよい。また、表示部１９は、ＰＥＭ画像にＸ線画像を重ねて表示してもよく、ＰＥＭ画像の関心領域２０ａとＸ線画像とを置換して表示してもよい。このような表示は、例えば、表示部１９内の画像メモリ（図示せず）にＰＥＭ画像のデータと、Ｘ線画像のデータとを記憶しておき、操作部１６から入力された表示指示による制御部２１からの制御に応じて、画像メモリ内の各データを適宜、加工又は演算することにより実行可能である。
【００３８】
関心領域設定部２０は、図６（ａ）に示すように、表示されたＰＥＭ画像上に関心領域２０ａを操作者指示に従って設定する。
【００３９】
制御部２１は、事前に設定された撮影条件に従って第１及び第２のＰＥＭ用検出器８，１０、高電圧発生器１２、Ｘ線絞り機構７、Ｘ線検出器９を制御することで、スラブ状に圧迫された被検体の乳房を対象とする撮影を実行させる。例えば、制御部２１は、設定された関心領域２０ａに従ってＸ線絞り機構７を制御することで、図６（ｂ）に示すように、関心領域２０ａに照射野を絞ってＸ線画像を得るように、Ｘ線撮影を実行させる。但し、制御部２１は、操作部１６により入力された絞り調整信号に従ってＸ線絞り機構７を制御することも可能である。
【００４０】
次に、以上のように構成された乳房撮影装置による乳房撮影方法について図７のフローチャートを用いて説明する。
【００４１】
始めに、被検体の乳房をＰＥＭにより検査する。
【００４２】
陽電子を放出する核種が付加された放射性薬剤が、注入され、その物理的特性と生体分子的特性とによって、乳房内の特定の場所（病変部）に集積される。放射性薬剤の導入（投与）から排泄までの間、病変部に集積した核種から陽電子が放出される。放出された陽電子が近傍の電子と結合して消滅するとき、互いに正反対の方向に２つのガンマ線が放出される。このように、被検体の乳房は、病変部に集積した放射性同位体から放出されるガンマ線を体外から検出可能な状態となる。
【００４３】
この状態で被検体の乳房は、乳房撮影装置の圧迫板６ａとグリッド５ａとの間でスラブ状に圧迫されて位置決め（ポジショニング）される。
【００４４】
乳房撮影装置は、撮影台５内の退避構造１１により、Ｘ線検出器９を撮影台５における撮影領域から退避させる（ＳＴ１）。
【００４５】
退避の後、乳房撮影装置は、第１及び第２のＰＥＭ用検出器８，１０により、放射性同位元素を投与された被検体の乳房から放出されるガンマ線を検出する（ＳＴ２）。
【００４６】
ガンマ線の検出の後、乳房撮影装置においては、第１のＰＥＭ用検出器８を圧迫板６ａから退避させると共に、Ｘ線検出器９を撮影台５の撮影領域に配置する（ＳＴ３）。例えば、第１のＰＥＭ用検出器８を横にスライド、もしくは取り外す等し、Ｘ線パス内に入らないよう移動させる。撮影台５内の第２のＰＥＭ用検出器１０はそのままの状態で、その上方にＸ線検出器９を配置する。
【００４７】
また、乳房撮影装置においては、第１及び第２のＰＥＭ用検出器８，１０の出力に基づいてＸ線の照射野を予め絞る（ＳＴ４）。このステップＳＴ４においては、例えば、次のステップＳＴ４−１〜ＳＴ４−４が実行される。
【００４８】
乳房撮影装置のＰＥＭ画像発生部１７は、第１及び第２のＰＥＭ用検出器８，１０の出力に基づいてＰＥＭ画像のデータを発生する（ＳＴ４−１）。
【００４９】
表示部１９は、ＰＥＭ画像を表示する（ＳＴ４−２）。
【００５０】
関心領域設定部２０は、表示されたＰＥＭ画像上に関心領域２０ａを操作者指示に従って設定する（ＳＴ４−３）。
【００５１】
制御部２１は、設定された関心領域２０ａに従って乳房撮影装置のＸ線絞り機構７を制御する（ＳＴ４−４）。これにより、Ｘ線の照射野が絞られる。
【００５２】
なお、ステップＳＴ４−３及びＳＴ４−４は、必須ではなく、例えば、次のステップＳＴ４−３’及びＳＴ４−４’に代えてもよい。操作部１６は、表示されたＰＥＭ画像上に関心領域２０ａを認識した操作者の操作により、絞り調整指示を制御部２１に入力する（ＳＴ４−３’）。制御部２１は、入力された絞り調整指示に従ってＸ線絞り機構７を制御する（ＳＴ４−４’）。このようにしても、Ｘ線の照射野が絞られる。
【００５３】
いずれにしてもステップＳＴ４により照射野を絞った後、被検体の乳房をＸ線マンモグラフィにより検査する。
【００５４】
乳房撮影装置においては、Ｘ線を乳房に照射し、乳房を透過したＸ線をＸ線検出器９により検出する（ＳＴ５）。
【００５５】
Ｘ線画像発生部１８は、Ｘ線検出器９の出力に基づいてＸ線画像のデータを発生する（ＳＴ６）。このように、先のＰＥＭ画像で陽性を示した領域のみＸ線を照射してＸ線画像のデータを得る。また、Ｘ線撮影は、通常の照射野での撮影でもよく、トモシンセシス撮影等でもよい。陽性領域の認識方法は人間の目視でもよく、ＣＡＤ（Computer Aided Design）等の自動認識でもよい。
【００５６】
表示部１９は、Ｘ線画像をＰＥＭ画像に並べて表示する（ＳＴ７）。この表示は、フュージョン表示に限らず、個別表示してもよい。表示された画像は、操作者により読影される。
【００５７】
上述したように本実施形態によれば、第１及び第２のＰＥＭ用検出器８，１０の出力に基づいてＸ線の照射野を予め絞った後、Ｘ線を乳房に照射し、乳房を透過したＸ線をＸ線検出器９により検出する構成により、マルチモダリティマンモグラフィ方法を用いた場合に、被検体の被曝量を低減させることができる。
【００５８】
補足すると、ＰＥＭについては、放射性薬剤を体内に導入するので、Ｘ線マンモグラフィの前又は後のいずれに行なったとしても、被検体の被曝量を変えることができない。これに対し、Ｘ線マンモグラフィでは、ＰＥＭにより認識した関心領域のみにＸ線を照射することにより、被検体の被曝量を必要最低限に抑えることができる。本実施形態は、このようにして被曝量を低減している。
【００５９】
また、本実施形態によれば、ＰＥＭ及びＸ線マンモグラフィの両者の利点が得られるため、高い位置分解能と、良悪性の判別のしやすい高い診断能力とを同時に得ることができる。さらに、本実施形態によれば、ＰＥＭ及びＸ線マンモグラフィを同一の検査室で検査できると共に、圧迫板６ａによるポジショニングを１回で済ませることができる。また、ポジショニングを１回で済ませるため、ＰＥＭ画像とＸ線画像との間で位置ズレが発生しない利点もある。
【００６０】
さらに、本実施形態によれば、制御部２１が、ＰＥＭ画像上に設定された関心領域２０ａに従ってＸ線絞り機構７を制御する場合には、操作者の操作によって絞り調整指示を入力する場合に比べ、Ｘ線照射野を簡単且つ短時間に調整することができる。このため、被検体側の乳房の圧迫状態の負荷と、操作者側の操作部１６の操作の負荷とをそれぞれ低減させることができる。
【００６１】
なお、本実施形態は、以下の［１］〜［３］に述べるように変形できる。特に、退避構造１１については、以下の［１］，［２］に限らず、様々な変形が可能である。
【００６２】
［１］退避構造１１としては、前述したガイドレール１１ａに限らず、例えば図８（ａ）及び図８（ｂ）に示すように、撮影台５に取り付けた蝶番部材１１ｂにより、撮影台５の撮影領域に対して挿脱自在にＸ線検出器９を保持する構成に変形してもよい。蝶番部材１１ｂは、一端部が撮影台５の撮影領域近傍に取り付けられ、他端部がＸ線検出器９の側面に取り付けられ、両端部の間の軸部材を中心に一端部及び他端部が回動する。このような変形例としても、ガンマ線検出時にはＸ線検出器９を撮影領域から退避済みにできるので、本実施形態と同様の効果を得ることができる。
【００６３】
［２］退避構造１１としては、例えば図９（ａ）及び図９（ｂ）に示すように、撮影台５に収容されたターンテーブル１１ｃにより、撮影台５の撮影領域に対して挿脱自在にＸ線検出器９及び第２のＰＥＭ検出器１０を保持する構成に変形してもよい。ターンテーブル１１ｃは、撮影台５の撮影領域と、Ｃ形アーム３の支柱部３ａとの間の回転軸１１ｄを回転中心にして回転する。このような変形例としても、ガンマ線検出時にはＸ線検出器９を撮影領域から退避済みにできるので、本実施形態と同様の効果を得ることができる。
【００６４】
［３］将来的に、ガンマ線検出器及びＸ線検出器の要求を同時に満たす共通の検出器（ＣｄＴｅやＣｄＺｎＴｅ（ＣＺＴ）等の半導体検出器など）が得られた場合、図１０に示すように、撮影台５内のＸ線検出器９及び第２のＰＥＭ用検出器１０に代えて、当該共通の検出器２２を備えた構成に変形してもよい。当該共通の検出器２２は、Ｘ線及びガンマ線をそれぞれ検出する放射線検出器である。この変形例によれば、本実施形態の効果に加え、検出器の個数を減少でき、検出器を収容する撮影台５を小型化でき、且つＸ線検出器９の退避構造１１を省略できることから、乳房撮影装置の構成を簡素化できる。また、退避構造１１を用いるステップＳＴ１，ＳＴ３を省略できるので、乳房撮影方法を用いた検査時間を短縮できる。
【００６５】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…撮影本体、２…支持機構、３…Ｃ形アーム、３ａ…支柱部、４…Ｘ線管、５…撮影台、５ａ…グリッド、６…圧迫機構、６ａ…圧迫板、７…Ｘ線絞り機構、８…第１のＰＥＭ用検出器、９…Ｘ線検出器、１０…第２のＰＥＭ用検出器、１１…退避構造、１１ａ…ガイドレール、１１ｂ…蝶番部材、１１ｃ…ターンテーブル、１１ｄ…回転軸、１２…高電圧発生器、１３…フットペダル、１４…ＰＥＭ用データ収集部、１５…Ｘ線データ収集部、１６…操作部、１７…ＰＥＭ画像発生部、１８…Ｘ線画像発生部、１９…表示部、２０…関心領域設定部、２０ａ…関心領域、２１…制御部、２２…共通の検出器。
【図１】
2013215523.tif 000003
【図２】
2013215523.tif 000004
【図３】
2013215523.tif 000005
【図４】
2013215523.tif 000006
【図５】
2013215523.tif 000007
【図６】
2013215523.tif 000008
【図７】
2013215523.tif 000009
【図８】
2013215523.tif 000010
【図９】
2013215523.tif 000011
【図１０】
2013215523.tif 000012